(57)【要約】      （修正有）【課題】作業性がよく、扱いやすく疲れにくい動力工具及び動力工具に装着可能なアタッチメントの提供。【解決手段】被装着部が設けられた本体部１Ａと、第二ハンドル７と選択的に被装着部に着脱可能なアタッチメント１０とを備えた動力工具であり、アタッチメント１０は長尺状に構成され、長尺状の一端に位置する把持部１１と、長尺状の他端に位置し被装着部に取り付けられる装着部１２と、装着部１２と把持部１１との間に位置する延長部１３とを有する。【選択図】図３
2012065622.tif 000002
【特許請求の範囲】
【請求項１】
出力軸部を有する駆動源を収容する本体部と、
該本体部から延出して着脱可能なブレード部と、
該本体部に設けられた被装着部と、を備え、
該被装着部は、該本体部に近接した位置で把持可能なハンドルと、
長尺状に構成され、該長尺状の一端に位置する把持部と、該長尺状の他端に位置し該被装着部に取り付けられる装着部と、該装着部と該把持部との間に位置する延長部とを有するアタッチメントと、を選択的に着脱可能に構成されていることを特徴とする動力工具。
【請求項２】
該被装着部は該本体部の該出力軸より該ブレードの延出側に配置されていることを特徴とする請求項１に記載の動力工具。
【請求項３】
該延長部には、該被装着部と同形状を成すアタッチメント側被装着部が設けられていることを特徴とする請求項１または請求項２のいずれかに記載の動力工具。
【請求項４】
該本体部は、該被装着部が設けられているハウジングを更に備え、
該ハウジングにおいて一側面及び他側面にそれぞれ該被装着部が装着され、
該装着部は、該一側面側の該被装着部に着脱可能な第一腕部と、該他側面側の該被装着部に着脱可能な第二腕部とを備えていることを特徴とする請求項１乃至請求項３のいずれか一に記載の動力工具。
【請求項５】
該本体部には、第二被装着領域が規定され、
該アタッチメントには、該第二被装着領域に取り付けられる第二装着部が設けられていることを特徴とする請求項４に記載の動力工具。
【請求項６】
該本体部は、動力部と、該動力部に電力を供給する電源供給部とを有し、
該アタッチメントには、該電源供給部が接続される延長コードと、該延長コードの電流を制御する制御装置とが設けられていることを特徴とする請求項１乃至請求項５のいずれか一に記載の動力工具。
【請求項７】
該本体部は、動力部と、該動力部に電力を供給する電池と、該電池が装着される電池装着部とを有し、
該アタッチメントには、該電池が装着されるアタッチメント側電池装着部と、該アタッチメント側電池装着部と導通し該電池装着部に装着されるソケット部とを有し、
該アタッチメント側電池装着部は該把持部に配置され、該ソケット部は該装着部に配置されていることを特徴とする請求項１乃至請求項５のいずれか一に記載の動力工具。
【請求項８】
該アタッチメントは、該長尺状の軸周りにおいて、該装着部が該把持部に対して回転可能に構成されていることを特徴とする請求項１乃至請求項７のいずれか一に記載の動力工具。
【請求項９】
長尺状に構成され、長尺状の一端に位置する把持部と、長尺状の他端に位置する装着部と、該装着部と該把持部との間に位置する延長部とを有し、
該装着部は、電動工具本体に設けられハンドルが着脱可能な被装着部に装着可能に構成されていることを特徴とするアタッチメント。
【発明の詳細な説明】
【技術分野】
【０００１】
本発明は動力工具及び動力工具に接続されるアタッチメントに関する。
【背景技術】
【０００２】
樹木の剪定や生垣の整枝等の刈込みに用いる動力工具として、エンジンや電動モータを動力とし、櫛状に形成した上下一組の刈込刃を前後方向に相対的に往復運動させることで、枝葉を切断する刈込機が広く実用化されている。このような刈込機は、通常、エンジンやモータなどの動力源を内蔵した本体部と、本体部下部から前方に突設した刈込刃と、本体部上部から後方に突設した操作グリップとから形成されており、操作グリップ内に設けられたスイッチを操作して作業を行うように構成されている。
【０００３】
この刈込機では、刈込刃と動力源の間に位置する重心位置より後方に設けた操作グリップを片手で握って保持しながら刈込み作業を行うために、手にかかる負担が大きく、疲れやすいという問題がある。特に、樹木などの高所の枝葉の刈込み作業を行う際には、腕を伸ばして作業したり、脚立に乗って作業したりと、快適な環境での作業が困難となっていた。
【０００４】
そこで、特許文献１に示されるような刈込機が提案されている。この刈込機では、高所に対する刈込作業が容易となるよう長尺のグリップを備えている。
【先行技術文献】
【特許文献】
【０００５】
【特許文献１】特開２００４−３５７５８０号公報
【発明の概要】
【発明が解決しようとする課題】
【０００６】
しかしながら、特許文献１に記載の刈込機では、駆動源及び刈り込みブレードが設けられ本体の重量が集中する重心位置より後方に操作グリップを設けている。この操作グリップを握って刈込機を保持しながら刈込作業を行うと、手にかかる負担が大きく、疲れやすいという問題が依然として残る。また、駆動源と操作グリップとの取付部にかかる負担が大きくなるという問題があった。また、作業者は低所作業用の刈込機と高所作業用の刈込機の２台を所有する必要があり、保管に不便であることに加え、経済的にも負担となっていた。
よって本発明は、低所作業時及び高所作業時において作業性がよく、扱いやすく疲れにくい動力工具及び動力工具に装着可能なアタッチメントを提供することを目的とする。
【課題を解決するための手段】
【０００７】
上記課題を解決するために本発明は、出力軸部を有する駆動源を収容する本体部と、該本体部から延出して着脱可能なブレード部と、該本体部に設けられた被装着部と、を備え、該被装着部は、該本体部に近接した位置で把持可能なハンドルと、長尺状に構成され、該長尺状の一端に位置する把持部と、該長尺状の他端に位置し該被装着部に取り付けられる装着部と、該装着部と該把持部との間に位置する延長部とを有するアタッチメントと、を選択的に着脱可能に構成されている動力工具を提供する。
【０００８】
このような構成によると、低所作業時はハンドルを用いて作業し、高所作業時にはアタッチメントを用いて作業を行うことができる。また、本来のサブハンドルの取付部を利用することで、アタッチメント側の取付機構を簡単化しながら取付強度を確保でき信頼性を向上させることができる。また、本体側に特別な加工が不要であることから、汎用性の高いアタッチメントとすることができる。
【０００９】
上記構成の動力工具において、該被装着部は該本体部の該出力軸より該ブレードの延出側に配置されていることが好ましい。
【００１０】
このような構成によると、アタッチメント及びハンドルを介して本体部を支持する際に
重心位置付近で本体を支承・懸架することができるので、作業者にかかる負担を軽減することができる。また、装着部にかかる負担を軽減することができ、工具の信頼性を向上させることができる。
【００１１】
また該延長部には、該被装着部と同形状を成すアタッチメント側被装着部が設けられていることが好ましい。
【００１２】
このような構成によると、取り外したハンドルをアタッチメント側被装着部に装着することができる。ハンドルをアタッチメント側被装着部に装着した状態においては、把持部と装着したハンドルとで動力工具を操作することができ、より安定して作業を行うことができる。
【００１３】
また該本体部は、該被装着部が設けられているハウジングを更に備え、該ハウジングにおいて一側面及び他側面にそれぞれ該被装着部が装着され、該装着部は、該一側面側の該被装着部に着脱可能な第一腕部と、該他側面側の該被装着部に着脱可能な第二腕部とを備えていることが好ましい。
【００１４】
このような構成によると、第一腕部と第二腕部とで挟持するように本体部を保持することができるため、アタッチメントで安定して本体部を保持することができる。
【００１５】
また該本体部には、第二被装着領域が規定され、該アタッチメントには、該第二被装着領域に取り付けられる第二装着部が設けられていることが好ましい。
【００１６】
このような構成によると、少なくとも三点により本体部を保持することができるため、より安定してアタッチメントにより本体部を保持することができる。また、荷重を分散させることにより、各装着部にかかる負担を軽減させることができる。
【００１７】
また該本体部は、動力部と、該動力部に電力を供給する電源供給部とを有し、該アタッチメントには、該電源原コードが接続される延長コードと、該延長コードの電流を制御する制御装置とが設けられていることが好ましい。
【００１８】
このような構成によるとアタッチメントで動力部の動作を制御することができる。よって作業時に本体部を操作する必要がなく、アタッチメントのみで動力工具の動作を制御することができる。また本体部から延びる電源供給部をアタッチメントの延長コードに接続するため、電源供給部の仕舞いをよくすることができる。
【００１９】
また該本体部は、動力部と、該動力部に電力を供給する電池と、該電池が装着される電池装着部とを有し、該アタッチメントには、該電池が装着されるアタッチメント側電池装着部と、該アタッチメント側電池装着部と導通し該電池装着部に装着されるソケット部とを有し、該アタッチメント側電池装着部は該把持部に配置され、該ソケット部は該装着部に配置されていることが好ましい。
【００２０】
このような構成によると、コードレスの動力工具において、重量物である電池を、把持部に装着することができる。よって本体部の重量を低減することができ、より安定して本体部を保持することができる。
【００２１】
また該アタッチメントは、該長尺状の軸周りにおいて、該装着部が該把持部に対して回転可能に構成されていることが好ましい。
【００２２】
このような構成によると、多様な作業状態を得ることができ、作業性をよくすることができる。
【００２３】
また上記課題を解決するために、長尺状に構成され、長尺状の一端に位置する把持部と、長尺状の他端に位置する装着部と、該装着部と該把持部との間に位置する延長部とを有し、該装着部は、電動工具本体に設けられハンドルが着脱可能な被装着部に装着可能に構成されているアタッチメントを提供する。
【００２４】
このようなアタッチメントによると、着脱式のハンドルが装着される動力工具にハンドルの代わりとして装着することができる。よって高所作業時にはアタッチメントを用いて作業を行うことができる。
【発明の効果】
【００２５】
本発明の動力工具及びアタッチメントによれば、低所作業時及び高所作業時において作業性をよくすることができる。
【図面の簡単な説明】
【００２６】
【図１】本発明の実施の形態に係る刈込機の第二ハンドルが装着された状態の側面断面図。
【図２】本発明の実施の形態に係る刈込機の本体部の側面図。
【図３】本発明の実施の形態に係る刈込機の第二ハンドルが装着された状態の背面部分断面図。
【図４】本発明の実施の形態に係る刈込機の被装着部を示す図。
【図５】本発明の実施の形態に係る刈込機のアタッチメントが装着された状態の側面断面図。
【図６】本発明の実施の形態に係る刈込機のアタッチメントが装着された状態の背面部分断面図。
【図７】本発明の実施の形態の刈込機の第一の変形例に係るアタッチメントが装着された状態の側面断面図。
【図８】本発明の実施の形態の刈込機の第二の変形例に係るアタッチメントが装着された状態の側面断面図。
【図９】本発明の実施の形態の刈込機の第三の変形例に係る被装着部を示す図。
【発明を実施するための形態】
【００２７】
以下本発明の実施の形態に係る動力工具及び動力工具に装着可能なアタッチメントについて図１乃至図６に基づき説明する。図１に示される動力工具である刈込機１は、ハウジング２と、モータ３と、ギヤ４と、カム部５と、ブレード部６とから構成される本体部１Ａと、第二ハンドル７及びアタッチメント１０（図５）とから主に構成されている。第二ハンドル７とアタッチメント１０とは、選択的に本体部１Ａに装着可能である。以降の説明においては、ブレード部６の軸方向であってハウジング２からブレード部６が延出される方向を前側として前後方向を規定する。また前後方向と直交する方向であってモータ３の後述の出力軸部３Ａが延出される方向を下側として上下方向を規定する。また前後方向、上下方向と直交する方向を左右方向と定義する。
【００２８】
ハウジング２は、内部にモータ３や、ギヤ４、カム部５を内蔵しており、後端に位置する第一ハンドル２１と、第一ハンドル２１の根本に設けられてモータ３の動作を制御するトリガ２２と、モータ３を挟んで第一ハンドル２１の反対側（前側）に位置する被装着部２３（図２）と、モータ３に電力を供給する電源コード２４と、を備えている。
【００２９】
第一ハンドル２１には、トリガ２２をオン動作（引いた状態）で固定するロックスイッチ２１Ａが設けられている。図２及び図３に示されるように、被装着部２３、２３は、ハウジング２の上下方向及び前後方向と直交する一側面及び他側面にそれぞれ左右方向に突出するように設けられており、それぞれ図４に示されるように略同形状の鍵穴状の凹部２３ａが形成されている。凹部２３ａ、２３ａの中心には後述するボルト７１Ａ、７１Ａが挿通される貫通孔２３ｂが形成されている。この一対の凹部２３ａ、２３ａ内には、図３及び図４に示されるようにそれぞれナット２３Ａが埋設されている。
また一対の被装着部２３、２３は、一方の被装着部２３から他方の被装着部２３を結ぶ仮想線上の近傍に本体部１Ａの重心が位置するようにハウジング２に配置されている。図１に示されるように電源コード２４は、ハウジング２の後端から延出されており、その端部には、ソケット２４Ａが設けられている。
【００３０】
駆動部であるモータ３は、ピニオンギアが設けられた出力軸部３Ａを有し、ブレード部６の延出方向と略直交するようにハウジング２内に配置されている。先述の凹部２３ａ、２３ａは、ハウジング２の前後方向において出力軸部３Ａより前方に形成されている。ギヤ４は、回転軸部４Ａでハウジング２内に回転可能に配置されると共に、出力軸部３Ａと噛合している。
【００３１】
カム部５は、後述の第一ブレード６１及び第二ブレード６２を駆動する駆動部材であり、第一ブレード６１に係合する第一カム部５１と第二ブレード６２に係合する第二カム部５２とから構成されている。第一カム部５１と第二カム部５２とは逆位相になるように構成されている。
【００３２】
ブレード部６は、図２に示されるように、上刃である第一ブレード６１と、下刃である第二ブレード６２と、ブレードホルダ６３と、ブレードプレート６４とから主に構成されており、ブレードホルダ６３がハウジング２に接続されると共に、ブレードホルダ６３とブレードプレート６４との間に第一ブレード６１と第二ブレード６２とが挟まれて保持されている。
【００３３】
第一ブレード６１及び第二ブレード６２は、一般の刃物材料であるＳＫ鋼を基材とし、それぞれ図示せぬ貫通孔が形成されている。第一ブレード６１及び第二ブレード６２の図示せぬ貫通孔に、それぞれ第一カム部５１と第二カム部５２とが挿入されている。上述のように第一カム部５１と第二カム部５２とは逆位相であるため、カム部５を回転させることにより、第一ブレード６１及び第二ブレード６２は前後方向で互いに逆位相に往復動する。
【００３４】
図３に示されるように、第二ハンドル７は、略Ｃ字状に構成され、略Ｃ字状の一端及び他端に、それぞれ鍵穴状の凹部２３ａ、２３ａに係合すると共に被装着部２３、２３に装着可能な凸形状の係合部７１、７１を有している。また係合部７１、７１には、第二ハンドル７が被装着部２３、２３に装着された状態で、ナット２３Ａ、２３Ａと同軸的な貫通孔７１ａ、７１ａがそれぞれ形成されており、貫通孔７１ａ、７１ａ及びハウジング２に形成された貫通孔２３ｂ、２３ｂを挿通してナット２３Ａ、２３Ａに螺合するボルト７１Ａ、７１Ａが設けられている。このボルト７１Ａ、７１Ａとナット２３Ａ、２３Ａとの締結・解離に応じて、第二ハンドル７は被装着部２３、２３に着脱される。また、鍵穴状の凹部２３ａ、２３ａは、貫通孔２３ｂ、２３ｂに対して中心から径方向に延びて非対称に形成されており、第二ハンドル７が上下逆に取付けられるのを規制していると共に、回り止めの役割を果たしている。
【００３５】
図５に示されるようにアタッチメント１０は、長尺状に構成され、長尺状の一端に位置する把持部１１と、長尺状の他端に位置する装着部１２と、把持部１１と装着部１２との間に位置する延長部１３と、把持部１１から延長部１３を介して装着部１２までに亘って配置される延長コード１４とから主に構成されている。アタッチメント１０において一端側と他端側とは、本体部１Ａにアタッチメント１０が装着された状態で、それぞれ下側と上側とに該当する。
【００３６】
把持部１１は、作業者が把持できるようにグリップ形状に構成されており、トリガ１１Ａとロックスイッチ１１Ｂとを備えている。トリガ１１Ａは制御装置であり、把持部１１において上端側に設けられ、トリガ１１Ａをオンにした状態（引いた状態）でのみ延長コード１４の導通を許容するように電流を制御している。ロックスイッチ１１Ｂは、トリガ１１Ａの近傍に設けられ、ロックスイッチ１１Ｂを押すことによりトリガ１１Ａをオンにした状態でロックすることができる。
【００３７】
装着部１２は樹脂モールド製であり、図６に示されるように第一腕部である一方の腕部１２Ａと第二腕部である他方の腕部１２Ａとから略Ｃ字状に構成され、一方の腕部１２Ａ及び他方の腕部１２Ａのそれぞれの一端及び他端に、それぞれ凹部２３ａ、２３ａにそれぞれ係合すると共に被装着部２３、２３に装着可能な凸形状の係合部１２Ｂ、１２Ｂを有している。また係合部１２Ｂ、１２Ｂには、装着部１２が被装着部２３、２３に装着された状態で、ナット２３Ａ、２３Ａに到達可能な貫通孔１２ａ、１２ａがそれぞれ形成されている。貫通孔１２ａ、１２ａには、ナット２３Ａ、２３Ａに螺合するボルト１２Ｃ、１２Ｃが挿通している。ボルト１２Ｃ、１２Ｃを貫通孔１２ａ、１２ａに挿通してナット２３Ａ、２３Ａに螺合させることにより装着部１２を被装着部２３、２３に固定することができる。このボルト１２Ｃ、１２Ｃとナット２３Ａ、２３Ａとの締結・解離に応じて、装着部１２は被装着部２３、２３に着脱される。係合部１２Ｂ、１２Ｂは図４に示す第二ハンドルの係合部７１、７１と同形状に形成されており、断面形状を示しての再度の説明は省略するものとする。係合部１２Ｂ、１２Ｂは凹部２３ａ、２３ａと緩く嵌め合わされ、回り止めの役割を果たしている。
【００３８】
図５に示されるように延長部１３は、アルミ等の金属パイプから構成され、上端位置に装着部１２が一体固定され、下端位置に把持部１１が設けられ、中央位置に一対のアタッチメント側被装着部１３Ａ、１３Ａが設けられている。アタッチメント側被装着部１３Ａ、１３Ａは、被装着部２３Ａ、２３Ａと同一形状に構成されており、金属パイプからそれぞれ左右方向に突出するように設けられて、一方の被装着部２３Ａから他方の被装着部２３Ａまでの距離と一方のアタッチメント側被装着部１３Ａから他方のアタッチメント側被装着部１３Ａまでの距離とが等しく（同配置に）なるように構成されている。またアタッチメント側被装着部１３Ａ、１３Ａには、それぞれ凹部２３ａと略同形状の鍵穴状の図示せぬ凹部が形成されている。この一対の図示せぬ凹部内には、それぞれナットが埋設されている。
【００３９】
上述のようにアタッチメント側被装着部１３Ａ、１３Ａは、被装着部２３、２３と同形状、同配置に構成されているため、第二ハンドル７をアタッチメント側被装着部１３Ａ、１３Ａに装着することができる。第二ハンドル７をアタッチメント側被装着部１３Ａ、１３Ａに装着することにより、把持部１１と共に第二ハンドル７を保持することができ、より安定してアタッチメント１０を操作することができる。また、通常時に使用していた第二ハンドル７をアタッチメント１０の取付時に使用することができることから、アタッチメント１０として第二ハンドル７の分のコスト低減を図れると共に、刈込機と共に収納・保管する際のスペースを省略することができる。
【００４０】
延長コード１４は、延長部１３の金属パイプ内に配置され、一端が把持部１１下側から延出されて外部電源と接続可能であり、他端が装着部１２位置から延出されており、他端にはソケット２４Ａと係合するソケット１４Ａが設けられている。
【００４１】
上記構成の刈込機１において、低所作業を行う時は、図１に示されるように第二ハンドル７を被装着部２３、２３に装着し、第一ハンドル２１を把持すると共に第二ハンドル７を懸架するように把持し、作業を行う。また高所作業を行う時は、図５に示されるように、第二ハンドル７を外してアタッチメント１０を被装着部２３、２３に装着し、ソケット１４Ａとソケット２４Ａとを接続する。この時に第一ハンドル２１のトリガ２２をオン動作した状態を保持すべく、ロックスイッチ２１Ａをオン状態にしておく。また外した第二ハンドル７は、アタッチメント側被装着部１３Ａ、１３Ａにボルト７１Ａ、７１Ａにより装着される。
【００４２】
この状態で把持部１１と共に第二ハンドル７を把持し、把持部１１のトリガ１１Ａを操作することにより、延長コード１４に電流が流れ、本体部１Ａに電力が供給される。本体部１Ａではトリガ２２がオン動作しているので、電力の供給に応じてモータ３が駆動される。よってトリガ１１Ａの操作により、モータ３のオン／オフ動作を制御することができ、トリガ２２により予めモータ３をオン動作させてブレードを駆動させた後に高所作業を行うのに比べ、作業性がよくなると共に安定して作業を行うことができる。
【００４３】
また第二ハンドル７及びアタッチメント１０は、左右方向の両側からそれぞれ二点（被装着部２３、２３）で本体部１Ａと接続されており、装着箇所は本体部１Ａのモータ３の出力軸部３Ａの前方であり、ブレード長さにより前後方向に変化するものの、重心付近に位置するよう構成されている。このような構成により、第二ハンドル７及びアタッチメント１０で本体部１Ａを安定して支持・懸架することができ、作業者に係る負担を低減することができる。
【００４４】
また本体部１Ａから外部電源までの間のコードは、上述のように延長コード１４として、延長部１３内に内蔵されている。よって高所作業時に延長コード１４や、電源コード２４がブレード部６に接触して断線等が発生することはなく、安全に作業を行うことができる。
【００４５】
本発明に係る動力工具及びアタッチメントは、上述した実施の形態に限定されず、特許請求の範囲に記載された範囲で種々の改良や変形が可能である。例えば本実施の形態では、二点支持によりアタッチメント１０で本体部１Ａを保持したが、アタッチメント１０で更に安定して本体部１Ａを保持するならば、第一の変形例として図７に示されるように、三点支持により本体部１Ａを保持してもよい。具体的には、アタッチメント１０においてアタッチメント側被装着部が設けられていた位置に、後側かつ上方に向けて延出される第二装着部１１５を設ける。またハウジング２において、第一ハンドル２１に、第二被装着領域である第二被装着部１２５を設ける。第二装着部１１５の上端を第二被装着部１２５に係合させることにより、二点保持する装着部１２と共に第二装着部１１５で本体部１Ａを保持することができる。このような構成とすることで、本体１Ａを保持する箇所が増え、荷重を分散させることが可能となり、各装着部にかかる負担を軽減することが可能となる。また、左右両方向から二点保持する装着部１２を結ぶ線を中心として発生するモーメントを第二被装着部１２５及び第二装着部１１５により効果的に支持することが可能となり、より信頼性の高いアタッチメントを提供することが可能となる。
【００４６】
また本実施の形態では、外部電源によりモータを駆動しているがこれに限らず、図８に示されるように第二の変形例として電池により駆動される刈込機２０１であってもよい。電池で駆動される刈込機２０１では、ハウジング１０２の後端部に、電池２２５が装着される電池装着部２２１Ｂが設けられており、電池装着部２２１Ｂにはモータ２０３と導通可能であると共に電池の電極と接触する端子部２２１Ｃが設けられている。また電池装着部２２１Ｂには、電池２２５と略同一形状を成して端子部２２１Ｃに接続されると共に、外部電源と接続可能なソケット２２４Ａを備えたケーブル導出部２２４が装着可能になっている。
【００４７】
アタッチメント２１０においては、把持部２１１の下端に、延長ケーブル２１４と導通すると共に電池２２５を装着可能なアタッチメント側電池装着部２１１Ｃが設けられている。また延長ケーブル２１４の他端（上端）には、ソケット２２４Ａに装着されケーブル導出部２２４を介して端子部２２１Ｃと導通するソケット部２１４Ａが設けられている。このアタッチメント２１０で本体部２０１Ａを保持する際には、アタッチメント２１０を被装着部２２３に装着すると共に電池２２５を電池装着部２２１Ｂから外してアタッチメント側電池装着部２２１Ｃに装着する。これと同時に、ケーブル導出部２２４を電池装着部２２１Ｂに装着し、ソケット部２１４Ａをソケット２２４Ａに装着する。このように構成することにより、重量物である電池２２５を本体部２０１Ａから外した状態で、アタッチメント２１０により本体部２０１Ａを保持できる。本体部２０１Ａは電池２２５が無くなった分軽くなるので本体部２０１Ａの取り回しがよくなり、作業性に優れ、より安全に作業を行うことができる。
【００４８】
また本実施の形態では、装着部１２が把持部１１及び延長部１３と一体、即ちアタッチメント１０の軸周りにおいて、把持部１１及び延長部１３に対して装着部１２が回転不能に構成されている。これに対して図９に示すようにハウジング２の凹部２３ａに代わり扇状の凹部３２３ａとして、装着部１２が把持部１１及び延長部１３、若しくは把持部１１に対して軸周りに回転可能に構成されていても良い。また、凹部３２３ａの係合部７１との接触面は凹凸形状により位置決めされるものとし、凹凸形状とボルト７１Ａの締付により任意の回転位置でアタッチメントを固定することが可能なよう構成されていてもよい。このような構成によると、多様な作業状態を得ることができ、作業性をよくすることができる。
【００４９】
尚、本実施の形態では、前後方向にブレードが可動して植木等を切断する、いわゆるヘッジトリマと呼ばれるタイプの電動刈込機について説明したが、これに限らず横方向にブレードが可動することで芝等の刈込みを行うバリカン型の刈込機であってもよい。
【産業上の利用可能性】
【００５０】
本発明の動力工具及びアタッチメントは、上述の刈込機に限定されず、高所作業、底諸作業の両方の作業を行い、かつハンドル、アタッチメントが装着可能な動力工具に利用することができる。
【符号の説明】
【００５１】
１・・刈込機  １Ａ・・本体部  ２・・ハウジング  ３・・モータ  ３Ａ・・出力軸部
４・・ギヤ  ４Ａ・・回転軸部  ５・・カム部  ６・・ブレード部  ７・・第二ハンドル
１０・・アタッチメント  １１・・把持部  １１Ａ・・トリガ
１１Ｂ・・ロックスイッチ  １２・・装着部  １２Ａ・・腕部  １２Ｂ・・係合部
１２Ｃ・・ボルト  １２ａ・・貫通孔  １３・・延長部
１３Ａ・・アタッチメント側被装着部  １４・・延長コード
１４Ａ・・ソケット  ２１・・第一ハンドル  ２１Ａ・・ロックスイッチ
２２・・トリガ  ２３・・被装着部  ２３Ａ・・ナット  ２３Ａ・・被装着部
２３ａ・・凹部  ２４・・電源コード  ２４Ａ・・ソケット  ５１・・第一カム
５２・・第二カム  ６１・・第一ブレード  ６２・・第二ブレード
６３・・ブレードホルダ  ６４・・ブレードプレート  ７１・・係合部
７１Ａ・・ボルト  ７１ａ・・貫通孔
【図１】
2012065622.tif 000003
【図２】
2012065622.tif 000004
【図３】
2012065622.tif 000005
【図４】
2012065622.tif 000006
【図５】
2012065622.tif 000007
【図６】
2012065622.tif 000008
【図７】
2012065622.tif 000009
【図８】
2012065622.tif 000010
【図９】
2012065622.tif 000011